(57)【要約】  太陽電池モジュール（１０）の裏面側の封止材（１５）は、太陽電池（１１）の裏面側と裏面側の保護部材（１７）との間に配置され、裏面側の保護部材（１７）の側に設けられ、太陽電池（１１)受光面側からの光を反射する着色層（２１）と、着色層（２１）と太陽電池（１１)との間に設けられる透明層（２２）とを含む積層構造で、隣接する太陽電池（１１）の間の隙間において、着色層（２１）の受光面側の表面位置を太陽電池（１１）の裏面の位置よりも受光面側とし、受光面よりも裏面側として、太陽電池（１１）の裏面側の角部に沿って立ち上げられた側面を有するように透明層（２２）と着色層（２１）が配置される。
2014020708.tif 000002
【特許請求の範囲】
【請求項１】
太陽電池と、
前記太陽電池の裏面側に配置された裏面封止材と、
を備え、
前記裏面封止材は、
前記太陽電池の受光面側からの光を反射する着色層と、
前記着色層と前記太陽電池との間に設けられる透明層と、
を含み、
前記透明層は、隣接する前記太陽電池の間の隙間において、前記太陽電池の前記裏面側の角部に沿って立ち上げられた側面を有する、太陽電池モジュール。
【請求項２】
請求項１に記載の太陽電池モジュールにおいて、
前記着色層は、隣接する前記太陽電池の間の隙間において、前記太陽電池の裏面側の位置よりも前記太陽電池の前記受光面側に表面を有する、太陽電池モジュール。
【請求項３】
請求項２に記載の太陽電池モジュールにおいて、
前記着色層は、隣接する前記太陽電池の間の隙間において、前記太陽電池の前記受光面の位置よりも前記裏面側に表面を有する、太陽電池モジュール。
【発明の詳細な説明】
【技術分野】
【０００１】
本発明は、裏面封止材を有する太陽電池モジュールに関する。
【背景技術】
【０００２】
太陽電池モジュールは、太陽電池に対する耐環境性を向上させるため、太陽電池の受光面側と裏面側にそれぞれ封止材を配置し、その外側に保護部材を配置する構造を取る。【０００３】
例えば、特許文献１には、太陽電池の発電効率を上げるため、太陽電池素子の背面側の封止材として、白色顔料を含ませた白色封止材を用い、これにて太陽光を反射させ、太陽電池素子の背面側に反射光を入射させることが述べられている。【０００４】
特許文献２には、隣り合う太陽電池セルの間の領域に対応して光を反射する反射部材を裏面部材側に選択的に設けた先行技術を述べている。そしてこの先行技術の構造は、太陽電池セルの端部と反射部材の端部との間の位置合わせの精度が必要で、僅かに位置ずれした場合でも光反射部材を有効に利用できない問題があると述べ、また、表面部材に斜めから浅い角度で入ってくる光は反射部材に当たらず、そのまま裏面部材を通過することを指摘している。そこで、太陽電池セルと反射層の間の距離を最適化する計算式を提案している。
【先行技術文献】
【特許文献】
【０００５】
【特許文献１】特開２００６−３６８７４号公報
【特許文献２】特開２００６−２８６７８９号公報
【発明の概要】
【発明が解決しようとする課題】
【０００６】
裏面封止材に着色層を用いるときに、着色層の反射を利用して、太陽電池の側面に入射する光を裏面側発電に寄与させることである。
【課題を解決するための手段】
【０００７】
本発明に係る太陽電池モジュールは、太陽電池と、太陽電池の裏面側に配置された裏面封止材と、を備え、裏面封止材は、太陽電池の受光面側からの光を反射する着色層と、着色層と太陽電池との間に設けられる透明層と、を含み、透明層は、隣接する太陽電池の間の隙間において、太陽電池の裏面側の角部に沿って立ち上げられた側面を有する。
【発明の効果】
【０００８】
太陽電池の側面に入射する光を太陽電池の裏面側に誘導でき、裏面発電に寄与できる。
【図面の簡単な説明】
【０００９】
【図１】本発明の実施の形態における太陽電池モジュールの構成図である。
【図２】図１の拡大図である。
【図３】本発明の実施の形態において、着色層の表面位置が太陽電池の裏面側で平坦なときの入射光の光路を示す図である。
【図４】本発明の実施の形態において、着色層の表面位置を太陽電池のｐｎ接合の位置としたときの入射光の光路を示す図である。
【図５】本発明の実施の形態において、着色層の表面位置を太陽電池のｐｎ接合の位置と太陽電池の受光面の位置との間としたときの入射光の光路を示す図である。
【図６】本発明の実施の形態において、着色層の表面位置を太陽電池の受光面の位置としたときの入射光の光路を示す図である。
【図７】本発明の実施の形態において、着色層の表面位置を太陽電池の受光面の位置よりも受光面側の保護部材の側に突き出るときの入射光の光路を示す図である。
【図８】本発明の実施の形態において、着色層が太陽電池の受光面の端部に張り出すときの入射光の光路を示す図である。
【発明を実施するための形態】
【００１０】
以下に図面を用いて、本発明の実施の形態を詳細に説明する。以下で述べる材質、厚さ、寸法等は説明のための例示であって、太陽電池モジュールの仕様に応じ、適宜変更が可能である。以下では、全ての図面において一または対応する要素には同一の符号を付し、重複する説明を省略する。
【００１１】
図１は、太陽電池モジュール１０の構造を示す断面図である。太陽電池モジュール１０を構成する太陽電池１１は、主面として、太陽電池１１の外部からの光が主に入射する面である受光面と、受光面と反対側の面である裏面とを有するが、図１では、紙面の上側を受光面側、下側を裏面側とした。
【００１２】
太陽電池モジュール１０は、複数の太陽電池１１を複数の配線材１２，１３を用いて互いに直列接続したものを、受光面側の封止材１４と裏面側の封止材１５で挟み、その外側に受光面側の保護部材１６と裏面側の保護部材１７を配置し、端部をフレーム１８，１９で固定して構成される。
【００１３】
太陽電池１１は、太陽光等の光を受光することで正孔および電子の光生成キャリアを生成する光電変換部を備える。光電変換部は、例えば、結晶性シリコン（ｃ−Ｓｉ）、ガリウム砒素（ＧａＡｓ）、インジウム燐（ＩｎＰ）等の半導体材料の基板を有する。光電変換部の構造は、広義のｐｎ接合である。例えば、ｎ型単結晶シリコン基板と非晶質シリコンのヘテロ接合を用いることができる。この場合、受光面側の基板上に、ｉ型非晶質シリコン層と、ボロン（Ｂ）等がドープされたｐ型非晶質シリコン層と、酸化インジウム（Ｉｎ2Ｏ3）の透光性導電酸化物で構成される透明導電膜（ＴＣＯ）を積層し、基板の裏面側に、ｉ型非晶質シリコン層と、燐（Ｐ）等がドープされたｎ型非晶質シリコン層と、透明導電膜を積層する構造とできる。
【００１４】
光電変換部は、太陽光等の光を電気に変換する機能を有すれば、これ以外の構造であってもよい。例えば、ｐ型多結晶シリコン基板と、その受光面側に形成されたｎ型拡散層と、その裏面側に形成されたアルミニウム金属膜とを備える構造であってもよい。
【００１５】
配線材１２，１３は、光電変換部の上の透明導電膜の表面に導電ペースト等を用いて形成された接続用電極に接着剤を介して接続される導電性部材である。配線材１２，１３としては、銅等の金属導電性材料で構成される薄板が用いられる。薄板に代えて撚り線状のものを用いることもできる。導電性材料としては、銅の他に、銀、アルミニウム、ニッケル、錫、金、あるいはこれらの合金を用いることができる。
【００１６】
接着剤としては、アクリル系、柔軟性の高いポリウレタン系、あるいはエポキシ系等の熱硬化性樹脂接着剤を用いることができる。接着剤には、導電性粒子が含まれる。導電性粒子としては、ニッケル、銀、金コート付ニッケル、錫メッキ付銅等を用いることができる。接着剤として、絶縁性の樹脂接着剤を用いることもできる。この場合には、配線材１２，１３または接続用電極の互いに対向する面のいずれか一方または双方を凹凸化して、配線材１２，１３と接続用電極の間から樹脂を適当に排除して電気的接続を取るようにする。
【００１７】
受光面側の封止材１４と裏面側の封止材１５は、太陽電池１１に対し、衝撃の緩衝材としての役割と、異物や水分の侵入を防ぐ機能等を有するシート状の部材である。これらの封止材１４，１５は、耐熱性、接着性、柔軟性、成形性、耐久性等を考慮して材質が選定される。受光面側の封止材１４は、外部からの光を取り入れるため、できるだけ高い透明性を有し、入射した光を吸収したり反射することなく透過させる透明封止材が用いられる。例えば、ポリエチレン系のオレフィン樹脂やエチレンビニルアセテート（ＥＶＡ）等が用いられる。その他に、ＥＥＡ、ＰＶＢ、シリコーン系樹脂、ウレタン系樹脂、アクリル系樹脂、エポキシ系樹脂等を用いることもできる。
【００１８】
裏面側の封止材１５は、受光面側の封止材１４と同じ材質のものを用いることができるが、ここでは、太陽電池１１の受光面側からの光を太陽電池１１の裏面側に導入させるように、白色に着色された着色層を含む積層構造の封止材が用いられる。すなわち、裏面側の封止材１５は、裏面側の保護部材１７の側から太陽電池１１の側に向かって、透明層２０、着色層２１、透明層２２の三層の積層構造で構成される。透明層２０，２２は、受光面側の封止材１４と同じ材質のものを用いることができる。透明層２０，２２を区別するときは、前者を裏面保護部材側の透明層２０、後者を太陽電池側の透明層２２と呼ぶことができる。
【００１９】
着色層２１は、透明な封止材に着色材を混入させて得ることができる。下地の透明な封止材としては、ＥＶＡ等を用いることができ、例えば、白色に着色するには、酸化チタンや酸化亜鉛等の無機顔料を着色材として用いることができる。ＥＶＡ等の透明な下地層の屈折率は約１．４９〜１．５０で、酸化チタンの屈折率は約２．５である。着色層２１は、質量比で酸化チタンを約１〜５％混入させる。好ましくは３％混入することがよい。これによって、着色層２１は、透明層２０，２１に比べて光の反射率が高くなり、反射層としての働きをする。白色以外の適当な無機顔料等を用いて、白色以外の着色層２１としてもよい。
【００２０】
裏面側の封止材１５の厚さは、着色層２１が最も厚く、その両側に薄い厚さの透明層２０，２２が配置される。厚さの一例を上げると、着色層２１が約３００−４００μｍ、透明層２０，２２がそれぞれ約１００μｍである。
【００２１】
受光面側の保護部材１６は、外部から光を取り入れることができる透明な板体、フィルムである。受光面側の保護部材１６としては、ガラス板、樹脂板、樹脂フィルム等の透光性を有する部材を用いることができる。裏面側の保護部材１７は、受光面側の保護部材１６と同じものを用いることができる。裏面側からの受光を必要としない構造の太陽電池モジュール１０の場合は、裏面側の保護部材１７として、不透明な板体やフィルムを用いることができる。例えば、アルミ箔を内部に有する樹脂フィルム等の積層フィルムを用いることができる。
【００２２】
図２は、裏面側の封止材１５の反射層としての機能を説明するために、隣接する太陽電池１１に挟まれた隙間の部分を拡大して示す図である。隣接する太陽電池１１で挟まれた隙間の一部の領域には、隣接する太陽電池１１の間を接続する配線材１３が配置されるが、図２では光の経路を示すために、配線材１３が配置されていない領域を省略した。
【００２３】
図２では、隣接する太陽電池１１に挟まれた隙間を中央とし、２つの太陽電池１１をこの隙間に対し対称配置とした。隣接する太陽電池１１で挟まれた隙間において、着色層２１は太陽電池１１の裏面よりも受光面側に突き出すが、太陽電池１１の受光面の位置までは突き出さない。着色層２１の表面位置の設定の詳細については後述する。
【００２４】
図２において、太陽電池モジュール１０に入射する光のいくつかについてその光路を示した。光路としては、紙面の左上から右下に向かういくつかの光についていくつかの例を示してある。２つの太陽電池１１の端部は、紙面で左右対称に配置されているので、図２で右側の太陽電池１１に対し紙面の右上から左下に向かう光は、左上から右下に向かう光と対称に作用するものと考えればよい。
【００２５】
図２において、太陽電池１１の受光面に入射する光３０は、裏面側の封止材１５に影響されることなく太陽電池１１の受光面に吸収されて発電に寄与する光である。隣接する太陽電池１１の隙間に入射する光３１の一部は、透明層２２を透過して着色層２１の表面で反射され、受光面側の封止材１４と受光面側の保護部材１６との間の界面で反射されて再び裏面側に向かい、太陽電池１１の受光面に入射する。このように、受光面側からの入射光は、透明層２２に入射する光を除いて、直接入射か間接入射かの差はあるが、太陽電池１１の受光面に入射する。
【００２６】
一方、透明層２０，２２と比べて着色層２１は反射率が高いので、隣接する太陽電池１１の隙間に入射する光３１のうち太陽電池１１と着色層２１に挟まれた透明層２２に入射した光は、透明層２２と着色層２１の界面で反射され、太陽電池１１の側面及び裏面に向かうことになる。なお、透明層２２に比べて太陽電池１１の側面も反射率が高いので、透明層２２と太陽電池１１との界面では、太陽電池１１に吸収されなかった光が着色層２１に向けて反射されることになる。すなわち、太陽電池１１と着色層２１に挟まれた透明層２２に入射した光は、着色層２１と太陽電池１１の間で反射されて、太陽電池１１の側面および裏面に向かう。このように、太陽電池１１と着色層２１に挟まれた透明層２２は、太陽電池１１の受光面側からの入射光を太陽電池１１の側面および裏面に導く導光路の役割をする。
【００２７】
透明層２２に入射し着色層２１の側面で反射し、その後太陽電池１１の裏面に入射した光や、太陽電池１１の側面に入射した光は、太陽電池１１の裏面側における発電に寄与する。図２において、透明層２２に入射する光４０，４１，４２のうち、光４０，４１は、透明層２２に入射してまず着色層２１の側面で反射され、その後、太陽電池１１の側面および裏面に向かう光路を有する。光４２は、透明層２２に入射してまず太陽電池１１の側面で反射され、その後着色層２１の側面で反射されて、太陽電池１１の側面および裏面に向かう光路を有する。
【００２８】
これらの光４０，４１，４２は、透明層２２と着色層２１がなければ、光３０，３１のように太陽電池１１の受光面側の発電に寄与するものであるが、太陽電池１１と着色層２１に挟まれた透明層２２の導光層の機能によって、太陽電池１１の裏面側の発電に寄与するようになる。
【００２９】
着色層２１の表面位置は、透明層２２に入射した光の太陽電池１１の裏面側の発電の寄与の程度に大きく関係する。図３から図８を用いて、着色層２１の表面位置と裏面側の発電との関係について詳細に説明する。これらの図は、図２をさらに拡大した図である。ここでは、参考として太陽電池１１におけるｐｎ接合２３の位置が示されている。
【００３０】
図３は、透明層２２と着色層２１が平坦で、隣接する太陽電池１１で挟まれた隙間において透明層２２が太陽電池１１の裏面の位置からは突き出していない場合を示す図である。光４０，４１，４２は、図２の光４０，４１，４２と同じ入射角度の光である。図２と異なり、隣接する太陽電池１１に挟まれた領域に着色層２１の側面が形成されていないので、着色層２１の側面で反射されることなく着色層２１の表面で反射されるだけである。これらの光は、再び受光側の封止材１４と受光面側の保護部材１６の界面で反射され、太陽電池１１の受光面に入射する。なお、光４３，４４は、透明層２２に入射した後、着色層２１の側面でなく表面で反射し、太陽電池１１の裏面に入射するものである。図３において太陽電池１１の裏面側の発電に寄与するのは、光４３，４４で、これらは着色層２１の側面で反射した光ではない。
【００３１】
図４は、太陽電池１１の裏面側において、太陽電池１１の裏面側の角部４５に沿って立ち上げられた側面を有するように、透明層２２と着色層２１を配置したときを示す図である。ここでは透明層２２と着色層２１が角部４５の周りを覆っている。ここで、着色層２１の表面位置４６は、太陽電池１１の裏面の位置よりも受光面側の位置である。１つの目安として、着色層２１の表面位置４６がｐｎ接合２３の位置と同じ位置として示されている。これは太陽電池１１の裏面の位置を越えている一例であって、ｐｎ接合２３の位置と同じでなくても構わない。ここでは、隣接する太陽電池１１で挟まれた隙間において透明層２２と着色層２１が太陽電池１１の裏面の位置から受光面側に向けて突き出る。
【００３２】
図４において、光４０，４１は、図２で説明したものと同じで、透明層２２に入射した後、最初に着色層２１の側面に反射し、その後太陽電池１１の裏面側に入射する光路を有する。光４０は、太陽電池１１の受光面の端部から透明層２２に入射し、着色層２１の立上りの隅部に達する光路を有する。光４１は、太陽電池１１の受光面の端部から透明層２２に入射し着色層２１の立上りの頂部の角部に向かう光である。光４１は、着色層２１の立上りの頂部の角部で反射された後、太陽電池１１の裏面側における着色層２１の表面で反射し、太陽電池１１の裏面に向かう光路を有する。
【００３３】
透明層２２に入射した後、最初に着色層２１の側面に反射し、その後太陽電池１１の裏面側に入射するタイプの光路を有する光を、「着色層１次反射光」と呼ぶことにすると、図４の場合、裏面側の発電に寄与する「着色層１次反射光」は、光４０の入射角度と光４１の入射角度の間の範囲の入射角度を有する光である。光４０の入射角度は、太陽電池１１の受光面の端部から着色層２１の立上りの隅部に向かう入射角度で、光４１の入射角度は、太陽電池１１の受光面の端部から着色層２１の立上りの頂部の角部に向かう入射角度である。
【００３４】
光４２も図２で説明したものと同じで、透明層２２に入射し、太陽電池１１の側面で反射した光がちょうど着色層２１の立上りの頂部の角部４７に当たり、そこから太陽電池１１の裏面の角部４８に当たる光路を有する。
【００３５】
透明層２２に入射し、最初に太陽電池１１の側面で反射し、その後着色層２１の側面で反射されて、太陽電池１１の側面に入射するタイプの光路を有する光を、「着色層２次反射光」と呼ぶことにすると、着色層２１の立上りの頂部の角部４７の位置、すなわち着色層２１の表面位置が太陽電池１１の裏面の位置よりも受光面側にあるときに初めて「着色層２次反射光」が発生することになる。図４の光４２はその限界の「着色層２次反射光」に相当する。
【００３６】
図５は、着色層２１の表面位置４６が、図４の場合よりも太陽電池１１の受光面側であるが、太陽電池１１の受光面の位置を越えないときを示す図である。図４では着色層２１の表面位置４６をｐｎ接合２３の位置としたので、図５の着色層２１の表面位置４６はｐｎ接合２３よりも受光面側として示した。
【００３７】
光４９は、図４の光４１のように、太陽電池１１の受光面の端部から透明層２２に入射し、着色層２１の頂部の角部に向かう光である。着色層２１の頂部の角部の位置は、着色層２１の表面位置４６であるので、太陽電池１１の受光面の端部から着色層２１の頂部の角部に向かう光４９の入射角度は、図４の光４１に比べ、太陽電池１１の受光面により平行に近い角度となる。裏面側の発電に寄与する「着色層１次反射光」は、図４では光４０の入射角度と光４１の入射角度の間の範囲の入射角度を有する光であるが、図５では光４０の入射角度と光４９の入射角度の間の範囲の入射角度を有する光である。したがって、図４に比べ、「着色層１次反射光」となる光が図５では増加する。
【００３８】
光４２は、太陽電池１１の側面に入射する位置が図４の光４２と同じであるが、太陽電池１１の側面で反射した光が着色層２１の側面に当る位置５０が、着色層２１の立上りの頂部の角部４７よりも裏面側となる。裏面側の発電に寄与する「着色層２次反射光」は、着色層２１の立上りの頂部の角部４７よりも裏面側の光であるが、図４では光４２がその限界であった。図５では、入射角度が光４２よりも垂直側の光が太陽電池１１の側面で反射して着色層２１の立上りの頂部の角部４７に当ることになる。その分、「着色層２次反射光」となる光が増加することになる。
【００３９】
図６は、着色層２１の表面位置４６が、太陽電池１１の受光面の位置となるときを示す図である。太陽電池１１の受光面の端部から透明層２２に入射し、着色層２１の頂部の角部で反射する光路を有する光５１は、太陽電池１１の受光面の表面に沿った光となる。したがって、図６において裏面側の発電に寄与する「着色層１次反射光」は、光４０の入射角度と光５１の入射角度の間の範囲の入射角度を有する光でとなるので、図５に比べ、「着色層１次反射光」となる光がさらに増加するが、これが増加の限界となる。
【００４０】
光４２は、図４、図５の光４２と同じであるが、太陽電池１１の側面で反射した光が着色層２１の側面に当る位置５２が、着色層２１の立上りの頂部の角部４７よりもさらに裏面側となる。その分、「着色層２次反射光」となる光がさらに増加することになる。なお、光５３は、太陽電池１１の受光面の端部に入射し、そこで反射して着色層２１の側壁に当たり、さらに反射して太陽電池１１の裏面に向かう光路を有する光の一例を示すもので、次の図７で裏面発電寄与の限界となる光５３を先取りして示したものである。
【００４１】
図７は、着色層２１の表面位置４６が、太陽電池１１の受光面の位置を越えて受光面側の保護部材１６の側となるときを示す図である。「着色層１次反射光」の増加は図６で既に限界となっているので、図示を省略した。「着色層２次反射光」は、太陽電池１１の側面に入射する光が図６に比べ制限される。光４２は、図５の光４２と同じものであるが、着色層２１の表面位置４６が太陽電池１１の受光面の位置を越えることから、着色層２１の表面で反射されてしまい、太陽電池１１の側面に入射されない。光５３が着色層２１の立上りの頂部の角部から太陽電池１１の受光面の端部に入射する光で、これが「着色層２次反射光」の限界となる。図６でこの光５３の光路をそのまま示したが、図６における光５３は「着色層２次反射光」の限界まで十分余裕がある。
【００４２】
図８は、着色層２１の表面位置４６が、さらに受光面側の保護部材１６の側となり、太陽電池１１の受光面の端部を一部覆う張出部５４，５５を有するときを示す図である。着色層２１がこのような張出部５４，５５を有すると、この部分に入射した光５６，５７は着色層２１で反射されてしまい、太陽電池１１の受光面側の実効的な発電面積が減少する。
【００４３】
なお、この張出部５４，５５が発生するまでは、図７に示すように、「着色層２次反射光」は制限を受けることがあるが、透明層２２の存在によって、太陽電池１１の受光面側の実効的な発電面積が減少することはない。
【００４４】
このように、着色層２１の表面位置が、太陽電池１１の裏面側の位置よりも受光面側で、太陽電池１１の受光面の位置よりも裏面側になるように設定することで、透明層２２に入射した光を太陽電池１１の裏面側における発電に効率的に寄与させることができる。着色層２１の表面位置の設定は、受光面側の封止材１４と裏面側の封止材１５を配置して、受光面側の保護部材１６と裏面側の保護部材１７で挟み込むときの加圧力の調整等で行うことができる。
【符号の説明】
【００４５】
１０  太陽電池モジュール、１１  太陽電池、１２，１３  配線材、１４  （受光面側の）封止材、１５  （裏面側の）封止材、１６  （受光面側の）保護部材、１７  (裏面側の)保護部材、１８，１９  フレーム、２０，２２  透明層、２１  着色層、２３  ｐｎ接合、３０，３１，４０，４１，４２，４３，４４，４９，５１，５３，５６，５７  光、４５，４７，４８  角部、４６  （着色層の）表面位置、５０，５２  位置、５４，５５  張出部。
【図１】
2014020708.tif 000003
【図２】
2014020708.tif 000004
【図３】
2014020708.tif 000005
【図４】
2014020708.tif 000006
【図５】
2014020708.tif 000007
【図６】
2014020708.tif 000008
【図７】
2014020708.tif 000009
【図８】
2014020708.tif 000010
【国際調査報告】
2014020708.tif 000011
2014020708.tif 000012
2014020708.tif 000013
2014020708.tif 000014